(57)【特許請求の範囲】
【請求項１】
パンツ型の使い捨てオムツにおいて、
オムツ本体を構成する本体部と；
ペットの後脚を通す脚開口部と；
ペットの胴体周りに位置するウェスト開口部と；
前記本体部に設けられ、ペットの排泄物を吸収する吸収体とを備え、
前記脚開口部の周囲及び、前記ウェスト開口部の腹側には伸縮性のギャザーが形成され、前記ウェスト開口部の背中側には当該ギャザーを形成しない構成とし、
前記本体部において、ペットの背中側に位置する領域で、前記ウエスト開口部から内側に向かって直線状の切り込みを設けて、当該本体部の背中側を左右に２分割することによって、第１及び第２の分割シート部を形成し、
前記第１及び第２の分割シート部の切り込み側の縁部に、当該分割シート同士を接着する接着手段を設け、
前記第１及び第２の分割シート部によってペットの尻尾を挟み込むように包囲する構成であることを特徴とするペット用オムツ。
【請求項２】
前記切り込みが前記吸収体に達しないことを特徴とする請求項１に記載のペット用オムツ。
【請求項３】
前記接着手段は、前記第１の分割シート部に設けられたメカニカルファスナーのフック部材と；前記第２の分割シート部に設けられたループ部材とから構成されることを特徴とする請求項１又は２に記載のペット用オムツ。
【発明の詳細な説明】
【技術分野】
【０００１】  本発明はペット用の使い捨てオムツ、生理用吸収性物品等のペット用の吸収性物品の改良に関する。特に、パンツ型のペット用使い捨てオムツの改良に関する。
【背景技術】
【０００２】  ペット用オムツとしては、所謂オープンタイプの物の他に、パンツ型のオムツが提案されている。従来のパンツ型オムツにおいては、ペットの尻尾に対応する位置に穴を開け、その穴に尻尾を通していた。更には、尻尾用の穴からウエスト側の端部に向かってスリットを形成したものが提案されている。
【発明が解決しようとする課題】
【０００３】  上記のような従来のペット用オムツにおいては、尻尾に対応する位置に形成された抜き穴にペットの尻尾を通す構成であるため、体型、体格の異なるペットに柔軟に対応できなかった。すなわち、尻尾用の穴を基準にオムツを装着することになるため、ペットによってはオムツが斜めに装着され、オムツがずれて漏れが発生することがあった。また、尻尾用の抜き穴に切り込みを連結させたケースでは、抜き穴からずれた切り込みの部分に尻尾がくることがある。その結果、抜き穴が肛門や雌の性器の位置にきてしまい、抜き穴から排泄物が容易に漏れ出してしまう。
【０００４】  本発明は上記のような状況に鑑みて成されたものであり、体型、体格の異なるペットに対しても柔軟に対応でき、且つ、漏れの発生を低減できるペット用オムツを提供することを目的とする。
【課題を解決するための手段】
【０００５】  上記目的を達成するために、請求項１に記載の発明に係るペット用オムツは、オムツ本体を構成する本体部と；ペットの後脚を通す脚開口部と；ペットの胴体周りに位置するウェスト開口部と；前記本体部に設けられ、ペットの排泄物を吸収する吸収体とを備える。また、前記本体部において、ペットの背中側に位置する領域で、前記ウエスト開口部から内側に向かって切り込みを設けて、当該本体部を左右に２分割することによって、第１及び第２の分割シートを形成する。そして、前記第１及び第２の分割シートによってペットの尻尾を挟み込むように包囲する構成とする。ここで、前記切り込みの途中には抜き穴を設けない。
【０００６】  上記のような請求項１に記載の発明においては、脚開口部にペットの後足を通した後、左右に２分割された第１及び第２の分割シートによって尻尾を挟み込むように包囲する。尻尾が貫通する抜き穴を設けていないため、当該抜き穴に制限されることなく、本体部の切り込みの任意の位置に尻尾を持ってくることができる。これにより、体型、体格の異なるペットに対しても柔軟に対応できる。また、第１及び第２の分割シートによる締め付け具合によって、抜き穴のような隙間を作らないようにすることも容易であり、漏れの発生を低減できる。
【０００７】  請求項２に記載の発明においては、前記切り込みが前記吸収体に達していない。このような構成により、吸収体に染み込んだ尿などの排泄物が当該切り込みから漏れ出すのを防ぐことができる。
【０００８】  請求項３に記載の発明においては、前記第１及び第２の分割シートの切り込み側の縁部に、当該分割シート同士を接着する接着手段が設けられている。例えば、当該接着手段は、請求項４に記載のように、前記第１の分割シートに設けられたメカニカルファスナーのフック部材と；前記第２の分割シートに設けられたループ部材とから構成される。このような構成により、第１及び第２の分割シート同士の接着位置を調整することにより、着用するペットの体格、体型に柔軟に対応することが可能となる。
【０００９】  請求項５に記載の発明においては、前記メカニカルファスナーのフック部材及びループ部材は、前記切り込みに沿って配置されている。
【発明を実施するための形態】
【００１０】  以下、本発明の実施例について、添付図面を参照して説明する。なお、本明細書の発明の名称として「オムツ」としているが、本発明はオムツ以外にも、尻尾を有するペット用の生理用吸収物品などの実用品の他に、ファッション性のある衣類等のペット用装着物品に広く適用できるものである。
【００１１】  図１は、本発明の実施例にかかるペット用オムツ１０を下側（ペットの腹側）から見た構造を示す斜視図である。図２は、ペット用オムツ１０を上側（ペットの背中）から見た構造を示す斜視図である。図３は、ペット用オムツ１０の展開図である。
【００１２】  本実施例のペット用オムツ１０は、オムツ本体を構成する本体部１０ａと；ペットの後脚を通す脚開口部１６と；ペットの胴体周りに位置するウェスト開口部１４と；本体部１０ａに設けられ、ペットの排泄物を吸収する吸収体１２とを備えている。本体部１０ａにおいて、ペットの背中側に位置する領域で、ウエスト開口部１４から内側に向かって切り込み２０が設けられ、当該本体部１０ａを左右に２分割することによって、第１及び第２の分割シート２０ａ，２０ｂを形成する。そして、第１及び第２の分割シート２０ａ，２０ｂによってペットの尻尾を挟み込むように包囲する構成とする。なお、本発明においては、切り込み２０の途中には抜き穴を設けないことが重要である。
【００１３】  吸収体１２は、液透過性の内側シートと液不透過性の外側シートとの間に配置されている。ペットの腹側の本体部１０ａのウエスト開口部１４には、伸縮性のウエストギャザー１４ａが設けられている。また、脚開口部１６の周囲にも同様に伸縮性のレッグギャザー１６ａが形成されている。本体部１０ａの内側において、吸収体１２の両側部には、横漏れ防止用の立体ギャザー２６が設けられている。
【００１４】  本実施例のペット用オムツ１０の製造に際し、最初は、図３に示すようにオープンの状態で成形され、その後両サイドを接着（１８）することによってパンツ型を形成する。
【００１５】  スリット２０は、本体部１０ａの中心軸（ペットの体軸）に沿って形成されており、吸収体１２に達しないようになっている。スリット２０によって形成された左右の第１及び第２の分割シート２０ａ，２０ｂにおいて、スリット２０側の両縁部には、メカニカルファスナーのフック部材２２とループ部材２４とが各々設けられている。フック部材２２及びループ部材２４は、例えば、スリット２０から５ｍｍ〜２０ｍｍ離れた位置に固定することができる。なお、メカニカルファスナーに代えて、接着テープを使用することも可能である。
【００１６】  次に、本実施例に係るペット用オムツの使用方法について説明する。最初に、脚開口部１６にペットの後足を通し、ウエストギャザー１４ａがペットの腹部に当接するようにセットする。その後、第１及び第２の分割シート２０ａ，２０ｂによってペットの尻尾を挟み込むように包囲する。本実施例においては、尻尾が貫通する抜き穴を設けていないため、当該抜き穴に制限されることなく、本体部背中側の切り込み２０の任意の位置に尻尾を持ってくることができる。これにより、体型、体格の異なるペットに対しても柔軟に対応できる。また、第１及び第２の分割シート２０ａ，２０ｂによる締め付け具合によって、抜き穴のように尻尾周辺に隙間を作らないようにすることも容易であり、漏れの発生を低減できる。
【００１７】  以上、本発明の実施の形態について説明したが、本発明はこれに限定されるものではなく、特許請求の範囲に示された技術的思想の範囲内で適宜設計変更可能であることは言うまでもない。
【発明の効果】
【００１８】  以上説明したように、本出願の請求項１に記載の発明によれば、尻尾が貫通する抜き穴を設けていないため、当該抜き穴に制限されることなく、背中側本体部の切り込みの任意の位置に尻尾を持ってくることができる。これにより、体型、体格の異なるペットに対しても柔軟に対応できる。また、２分割された第１及び第２の分割シートによる締め付け具合によって、抜き穴のような隙間を作らないようにすることも容易であり、漏れの発生を低減できる。
【００１９】  請求項２に記載の発明においては、前記切り込みが前記吸収体に達していない。このような構成により、吸収体に染み込んだ尿などの排泄物が当該切り込みから漏れ出すのを防ぐことができる。
【００２０】  請求項３に記載の発明においては、第１及び第２の分割シートの切り込み側の縁部に、当該分割シート同士を接着する接着手段が設けられている。例えば、当該接着手段は、請求項４に記載のように、第１の分割シートに設けられたメカニカルファスナーのフック部材と；第２の分割シートに設けられたループ部材とから構成される。このような構成により、第１及び第２の分割シート同士の接着位置を調整することにより、着用するペットの体格、体型に柔軟に対応することが可能となる。
【図面の簡単な説明】
【図１】図１は、本発明の実施例にかかるペット用オムツの構造を示す斜視図である。
【図２】図２は、実施例にかかるペット用オムツの構造を示す斜視図である。
【図３】図３は、実施例にかかるペット用オムツの構造を示す展開図である。
【符号の説明】１０      ペット用オムツ
１０ａ      本体部
１２      吸収体
１４      ウエスト開口部
１６      脚部開口部
２０      スリット
２０ａ      第１の分割シート
２０ｂ      第２の分割シート
２２      フック部材
２４      ループ部材
【図１】
0005314824.tif 000002
【図２】
0005314824.tif 000003
【図３】
0005314824.tif 000004